(57)【要約】【課題】床用吸込具を倒立姿勢とした際に、床用吸込具の進行方向側の床面等の状態を視認容易とする。【解決手段】電動送風機が内部に配設される掃除機本体と、一端が掃除機本体に接続され、他端に手元側接続管を有するホース１と、手元側接続管に一端が接続される延長管５と、延長管５の他端に接続される床用吸込具６を有し、床用吸込具６は、底面および前面に吸込口を形成した吸込具本体８と、吸込具本体８に上下動かつ回動自在に接続され、延長管５の他端に接続される接続管１０とにより構成され、床用吸込具６を、吸込口７底面が床面に対向する基本姿勢と、吸込口７前面が床面に対向し、延長管５の延長方向に床用吸込具６の長手方向が沿う倒立姿勢にと変更可能とし、床用吸込具６の倒立姿勢時に、床用吸込具６の進行方向側を照射するライトを設けたことを特徴とする。【選択図】図３
2011092485.tif 000002
【特許請求の範囲】
【請求項１】
電動送風機が内部に配設される掃除機本体と、一端が掃除機本体に接続され、他端に手元側接続管を有するホースと、該手元側接続管に一端が接続される延長管と、該延長管の他端に接続される床用吸込具と、被掃除面を照射するライトとを有し、
前記床用吸込具は、底面および前面に吸込口を形成した吸込具本体と、該吸込具本体に上下動かつ回動自在に接続され、前記延長管の他端に接続される接続管とにより構成され、
前記床用吸込具は、底面に形成された吸込口が床面に対向する基本姿勢と、前面に形成された吸込口が床面に対向する倒立姿勢とに変更可能に構成され、
前記床用吸込具が倒立姿勢の状態で、前記ライトが床用吸込具の進行方向側の被掃除面を照射するよう構成することを特徴とする電気掃除機。
【請求項２】
前記手元側接続管の上側に把手部、下側に取っ手部が形成されることを特徴とする請求項１記載の電気掃除機。
【請求項３】
前記延長管が前記手元側接続管に回動自在に接続されることを特徴とする請求項１記載の電気掃除機。
【請求項４】
前記接続管に操作部を形成し、前記床用吸込具を倒立姿勢とした状態で、前記操作部が操作する位置に、前記ライトを点灯制御するスイッチを配置することを特徴とする請求項１から請求項３のいずれかに記載の電気掃除機。
【請求項５】
前記床用吸込具に操作部を形成し、前記床用吸込具を倒立姿勢とした状態で、前記操作部が操作する位置に、前記ライトを点灯制御するスイッチを配設することを特徴とする請求項１から請求項３のいずれかに記載の電気掃除機。
【請求項６】
前記スイッチは、前記床用吸込具を基本姿勢とした状態で、前記床用吸込具の接続管と対向する位置に配設することを特徴とする請求項４記載の電気掃除機。
【請求項７】
前記操作部は、前記床用吸込具を基本姿勢とした状態で、前記床用吸込具の接続管と対向する位置に形成することを特徴とする請求項５記載の電気掃除機。
【請求項８】
前面に形成された前記吸込口を開閉自在に閉塞するカバーを有し、該カバーが開放されることで操作される位置に、前記ライトを点灯制御するスイッチが配設されることを特徴とする請求項１から請求項３のいずれかに記載の電気掃除機。
【請求項９】
前記ライトが前記床用吸込具の接続管に備えられることを特徴とする請求項１から請求項８のいずれかに記載の電気掃除機。
【請求項１０】
前記ライトが前記床用吸込具の吸込具本体に備えられることを特徴とする請求項１から請求項８のいずれかに記載の電気掃除機。
【発明の詳細な説明】
【技術分野】
【０００１】
本発明は、電気掃除機に関するものである。
【背景技術】
【０００２】
電気掃除機は、比較的広い面積の床面を掃除する場合には、手元側接続管に延長管を介して略Ｔ字状の床用吸込具を装着し、家具と壁の隙間等の床用吸込具が入らないような隙間を掃除する場合には、床用吸込具を取り外し、アタッチメントとして備えられた隙間用吸込具を装着して掃除することが一般的であった。
【０００３】
しかし、掃除する場所によって、床用吸込具の取り外しを行うことは、使用者にとって不便であり、このような状況を鑑みて、床用吸込具の底面から前面にかけて吸込口を形成し、吸込口底面が床面に対して対向する状態の基本姿勢と、吸込口前面が床面に対向した状態で、延長管の延長方向に床用吸込具の長手方向が沿う倒立姿勢の二つの姿勢を選択可能に構成することで、床用吸込具を装着した状態のまま、家具と壁の隙間等を掃除ができる電気掃除機が提案された（特許文献１）。
【先行技術文献】
【特許文献】
【０００４】
【特許文献１】特開２００６−３４０７３９号公報
【発明の概要】
【発明が解決しようとする課題】
【０００５】
倒立姿勢とした床用吸込具で家具と壁の隙間等を掃除する場合、床面と比べて室内の光が届きにくい場所が多いため、家具と壁の隙間などに溜まった塵や埃を確認しにくいという問題があった。
【０００６】
本発明は、床用吸込具を倒立姿勢とした際に、前記床用吸込具の進行方向側の床面等の状態を容易に視認し得る電気掃除機を提供することを課題とするものである。
【課題を解決するための手段】
【０００７】
電動送風機が内部に配設される掃除機本体と、一端が掃除機本体に接続され、他端に手元側接続管を有するホースと、該手元側接続管に一端が接続される延長管と、該延長管の他端に接続される床用吸込具と、被掃除面を照射するライトとを有し、前記床用吸込具は、底面および前面に吸込口を形成した吸込具本体と、該吸込具本体に上下動かつ回動自在に接続され、前記延長管の他端に接続される接続管とにより構成され、前記床用吸込具は、底面に形成された吸込口が床面に対向する基本姿勢と、前面に形成された吸込口が床面に対向する倒立姿勢とに変更可能に構成され、前記床用吸込具が倒立姿勢の状態で、前記ライトが床用吸込具の進行方向側の被掃除面を照射するよう構成することを特徴とする。
【０００８】
前記手元側接続管の上側に把手部、下側に取っ手部が形成されることが好ましい。
【０００９】
または、前記延長管が前記手元側接続管に回動自在に接続されることが好ましい。
【００１０】
前記接続管に操作部を形成し、前記床用吸込具を倒立姿勢とした状態で、前記操作部が操作する位置に、前記ライトを点灯制御するスイッチを配置することが好ましい。
【００１１】
または、前記床用吸込具に操作部を形成し、前記床用吸込具を倒立姿勢とした状態で、前記操作部が操作する位置に、前記ライトを点灯制御するスイッチを配設することが好ましい。
【００１２】
更に、前記スイッチは、前記床用吸込具を起立姿勢とした状態で、前記床用吸込具の接続管と対向する位置に配設することが好ましい。
【００１３】
または、前記操作部は、前記床用吸込具を起立姿勢とした状態で、前記床用吸込具の接続管と対向する位置に形成することが好ましい。
【００１４】
更に、前面に形成された前記吸込口を開閉自在に閉塞するカバーを有し、該カバーが開放されることで操作される位置に、前記ライトを点灯制御するスイッチを配設することが好ましい。
【００１５】
前記ライトが前記床用吸込具の接続管、または前記吸込具本体に備えられることが好ましい。
【発明の効果】
【００１６】
請求項１によると、床用吸込具が倒立姿勢となった際に、ライトが点灯するように構成することで、隙間を掃除する際に、床用吸込具の進行方向側を照射でき、床面等の状態を確認しながら掃除を行うことができる等の効果を奏する。
【００１７】
請求項２および請求項３によると、手元側接続管に取り付けられた把手部及び取っ手部を左右いずれかに回動させることで、あるいは延長管を回動させることで床用吸込具は基本姿勢から倒立姿勢へ変更されるため、掃除を中断することなく、床面の掃除からそのまま隙間の掃除に移行することができる等の効果を奏する。
【００１８】
請求項２によると、手元側接続管に把手部及び取っ手部が形成され、基本姿勢及び倒立姿勢いずれの状態でも把手部または取っ手部が略上側に位置するため、一般的な掃除機と同等の操作性のまま掃除を行うことができる等の効果を奏する。
【００１９】
請求項３によると、延長管を回動させることで床用吸込具が倒立姿勢となるため、取っ手を一つに構成することができ、一般的な掃除機と同等の操作性のまま掃除を行うことができる等の効果を奏する。
【００２０】
請求項４または請求項６によると、床用吸込具の左右回動自在に構成した場合において、床用吸込具の両側部にスイッチを配設することで、床用吸込具がどちら側に回動されたか検出可能に構成することができる等の効果を奏する。
【００２１】
請求項５、請求項７または請求項８によると、スイッチは一つにすることができ、コストを抑えることができる等の効果を奏する。
【００２２】
請求項９によると、ライトは一つとすることができ、コストを抑えることができる等の効果を奏する。
【００２３】
請求項１０によると、ライトは床用吸込具に配設されるが、接続管と比較して床用吸込具はライトを配設可能なスペースが広いため、配置位置や、ＬＥＤの反射鏡の形状、大きさなど設計上の制約を少なくすることができる等の効果を奏する。
【図面の簡単な説明】
【００２４】
【図１】本発明第一実施形態の基本姿勢における側面図である。
【図２】同倒立姿勢における側面図である。
【図３】同基本姿勢における床用吸込具の水平方向の断面図である。
【図４】同床用吸込具の垂直方向の断面図である。
【図５】同床用吸込具のスイッチ操作時における断面図である。
【図６】同倒立姿勢における床用吸込具の側面図である。
【図７】本発明第二実施形態の倒立姿勢における側面図である。
【図８】同基本姿勢における床用吸込具の垂直方向の断面図である。
【図９】同倒立姿勢における床用吸込具の側面図である。
【図１０】同倒立姿勢における床用吸込具のスイッチ操作時の側面図である。
【発明を実施するための形態】
【００２５】
本発明の第一実施形態について図１乃至図６に基づいて以下に詳述する。以下、後述する床用吸込具６の吸込口７底面が床面に対向する状態を基本姿勢、後述する床用吸込具６の吸込口７前面が床面に対向した状態で、後述する延長管５の延長方向に床用吸込具６の長手方向が沿う状態を倒立姿勢という。
【００２６】
１は可撓性を有するホースで、一端に図示しない本体側接続管を備え、該本体側接続管は、電動送風機を有する図示しない掃除機本体に着脱自在に装着される。２は前記ホースの他端に回動自在に配設される手元側接続管で、該手元側接続管２の略断面円における直径方向の一端に、操作パネルを有する把手部３が形成されるとともに、他端には取っ手部４が形成されている。
【００２７】
基本姿勢時には、本発明を使って掃除を行う使用者から見て略上側に前記把手部３が位置し、略下側に前記取っ手部４が位置している。倒立姿勢時には、詳細は後述するが、使用者が前記手元側接続管２を回動することで、後述する床用吸込具６を基本姿勢から倒立姿勢とし、使用者から見て略上側に前記取っ手部４が位置し、略下側に前記把手部３が位置するようになっている。
【００２８】
５は前記手元側接続管２に一端が着脱自在に接続される延長管で、伸縮自在に構成され、使用者の身長や姿勢などにあった好みの長さに調節可能に構成されている。
【００２９】
６は前記延長管５の他端側に着脱自在装着される床用吸込具で、底面から前面にかけて吸込口７を形成した吸込具本体８と、該吸込具本体８の後方略中央部に左右に略９０度回転自在に枢支される回動管９と、該回動管９に上下動自在に枢支され、前記延長管５に接続される接続管１０とで構成され、接続管１０は吸込具本体８に対して上下動自在、かつ左右方向に回動自在に形成されている。前記吸込具本体８には、前記吸込口７に臨ませて回転ブラシ１１が配設され、該回転ブラシ１１を回転させるモーター１２が前記吸込具本体８内に配設されている。
【００３０】
隙間の掃除を行う際には、手元側接続管２に取り付けられた把手部３及び取っ手部４を左右いずれかに回動させて、延長管５を回動させる。延長管５を略９０度回転させた状態では、吸込具本体８が延長管５を回転させた方向に傾いた状態で、吸込具本体８後方が持ち上がり、さらに同一方向へ約９０度回動させることで床用吸込具６は基本姿勢から倒立姿勢へ変更され、掃除を中断することなく、床面の掃除からそのまま隙間の掃除に移行することができる。
【００３１】
１３は前記床用吸込具６の吸込口７前面に備えられ、前記回転ブラシ１１と略平行に枢支されるカバーで、基本姿勢時に図示しないバネによって前面７を閉塞するように付勢されている。前記カバー１３は倒立姿勢時に、床面との当接によって回転し、吸込口７前面を開放するようになっている。また、前記カバー１３の左右両端にはローラー１４が配設され、前記床用吸込具６底面には後車輪１５が配設され、底面前方から前面にかけて起毛布１６が配設されている。
【００３２】
基本姿勢時には、床用吸込具はカバー１３底面に配設された起毛布１６と後車輪１５によって前後に移動容易となり、使用者は略上側に位置する把手部３を持って床用吸込具６を前後に動かして、床面の掃除を行う。
【００３３】
倒立姿勢時には、床用吸込具はカバー１３両端に配設されたローラー１４とカバー１３前面に配設された起毛布１６によって前後に移動容易となり、使用者は、床用吸込具６を倒立姿勢とした際に、略上側に回動した取っ手部４を持って床用吸込具６を前後に動かして、家具と壁の隙間等の掃除を行う。
【００３４】
この構成によると、基本姿勢および倒立姿勢のいずれでも、把手部３または取っ手部４が略上側に位置するので、使用者は略上側に位置する把手を持って掃除を行うことができ、一般的な掃除機と同等の操作性のまま掃除を行うことができる。
【００３５】
図４および図５に示すように、１７は前記回動管９に形成され、操作部となる突起、１８は前記吸込具本体８に設けられ、前記突起１７により操作されるスイッチで、該スイッチ１８は、前記回動管９を左側へ回動して前記床用吸込具６を倒立姿勢とした際に、前記突起１７に操作される位置と、前記回動管９を右側へ回動して前記床用吸込具６を倒立姿勢とした際に、前記突起１７に操作される位置とにそれぞれ配設されている。前記突起１７と前記スイッチ１８によって、スイッチング機構１９を構成し、前記スイッチ１８が上述のように二ヶ所に配設されることで、回動管９の回動方向を検出可能とすることができるようにしている。
【００３６】
２０は前記床用吸込具６両側部に配設され、前記床用吸込具６の進行方向側を照らすためのライトとなるＬＥＤで、前記スイッチング機構１９により、床用吸込具６の倒立姿勢を検出し、回動管９の回動方向を検出して、床用吸込具６の進行方向側を照らすＬＥＤ２０を点灯させるようになっている。また、床用吸込具６を基本姿勢で使用した場合、スイッチ１８は突起１７に当接しないため、ＬＥＤ２０は消灯した状態となる。
【００３７】
この構成によると、床用吸込具６を倒立姿勢とした状態でＬＥＤ２０が点灯し、隙間を掃除する際に、床用吸込具の進行方向側が照らされ、床面等の状態を確認しながら掃除を行うことができる。また、図３に明示されているように、スイッチング機構１９が吸込具本体８後方略中央部、回動管９付近の奥まった部分に形成されるため、スイッチング機構１９に不用意な衝撃が加わることを防ぐことができる。
【００３８】
また、床用吸込具６に配設する場合、ＬＥＤ２０を配設する位置は床用吸込具６の進行方向側を照らしさえすればどこでもよく、例えば、床用吸込具６内に配設し、透光性を有する窓を通して、床用吸込具６の進行方向側を照らすように構成してもよい。
【００３９】
ＬＥＤ２０が床用吸込具６に配設されると、床用吸込具６はＬＥＤ２０を配設可能なスペースが広いため、配置位置や、ＬＥＤ２０の反射鏡の形状、大きさなど設計上の制約を少なくすることができる。
【００４０】
尚、上記実施形態では、手元側接続管２の上側に把手部３と下側に取っ手部４を形成しているが、手元側接続管２に対して、延長管＊を回動自在に構成しても良い。この構成では、隙間を掃除する際には、使用者が延長管＊を左右いずれか略１８０度回動させることで、床用吸込具６を倒立姿勢とすることができる。
【００４１】
この構成によると、延長管を回動させることで床用吸込具は基本姿勢から倒立姿勢へ変更されるため、掃除を中断することなく、床面の掃除からそのまま隙間の掃除に移行することができる。また、手元側接続管２の下側に形成された取っ手部４を不要とすることができ、把手が手元側接続管２の上側に形成される一般的な掃除機と同じ構成となるため、一般的な掃除機と同等の操作性のまま掃除を行うことができる。
【００４２】
また、上記実施形態では回動方向を検知するために、突起２１を回動管９に形成し、床用吸込具６を倒立姿勢とした際に、突起２１が操作するように吸込具本体８にスイッチ２２を配置したが、スイッチ２２を回動管９に配設し、床用吸込具６を倒立姿勢とした際に、前記スイッチが操作されるように前記吸込具本体８に突起を形成しても良い。この場合、ＬＥＤ２０は接続管１０下側に配設され、床用吸込具を倒立姿勢とした際に、ＬＥＤが床用吸込具の進行方向側を照らすようにすることが好ましい。
【００４３】
スイッチ２２およびＬＥＤ２０を回動管９に配設することにより、スイッチ２２およびＬＥＤ２０は一つにすることができ、コストを抑えることができる。
【００４４】
使用者の利便性を考慮して、吸込具本体８後方略中央部に左右に略９０度回転自在に回動管９が枢支されているが、左右いずれか片方にのみ回動する構成とし、床用吸込具６に配設されるＬＥＤ２０を片側だけとしてもよい。
【００４５】
上記第一実施形態では、前記スイッチ２２が前記突起２１に当接した際にＬＥＤ２０を点灯するように常開式のスイッチを用いたが、常閉式のスイッチを用い、倒立姿勢時にのみ前記スイッチ２２と前記回動管９が当接しなくなるように、操作部として前記回動管９に溝を形成させても良い。
【００４６】
本実施形態では、床用吸込具６を、吸込具本体８と、吸込具本体８の後方略中央部に左右に略９０度回転自在に枢支される回動管９と、該回動管９に上下動自在に枢支され、延長管５に接続される接続管１０とで構成しているが、前記床用吸込具６の構成は上記実施形態で述べた構成に限定されるものではなく、回動管９を上下動自在に吸込具本体８に枢支し、回動管９に接続管１０を左右方向に回動自在に枢支して接続管１０を吸込具本体８に対して上下方向に揺動自在で、左右方向に回動自在に枢支してもよい。上記構成の場合、スイッチ２２は前記回動管９に配設され、該スイッチ２２が操作されるように、操作部は前記延長管５に配設される。また、第一実施形態と同様に、前記スイッチ２２と前記操作部の位置は入れ替え可能である。
【００４７】
次に本発明の第二実施形態について図７乃至図１０に基づいて以下に詳述する。なお、上述の第一実施形態と同一部品は同一符号を附して説明を省略する。
【００４８】
第二実施形態では、図９および図１０に示すように、前記回動管９近傍の吸込具本体８背面両側に突起２１を備え、前記床用吸込具６が基本姿勢から倒立姿勢へ変更された状態で、前記突起２１が操作するようにスイッチ２２が前記接続管１０に配設されている。また、接続管１０の下側にＬＥＤ２３が配設されており、前記床用吸込具６が倒立姿勢を取った際、ＬＥＤ２３が床用吸込具６の進行方向側に向き、進行方向側を照射するようになっている。
【００４９】
第一実施形態と同様、手元側接続管１０の上側に形成された把手部３と下側に形成された取っ手部４を把持して延長管５を回動させることで、前記床用吸込具６は基本姿勢から倒立姿勢へ変更される。
【００５０】
この構成によると、スイッチ２２およびＬＥＤ２３を一つとすることができ、コストを抑えることができる。
【００５１】
尚、第一実施形態同様、突起２１とスイッチ２２の位置は入れ替え可能で、ＬＥＤ２３を床用吸込具６両側部あるいは片側部等に配設してもよい。
【００５２】
本実施形態ではライトとして、ＬＥＤを使っているが、電球等のそのほかの照明機器を用いても良い。
【００５３】
また、前記カバー１３が前記吸込具本体８吸込口７前面を開放した際に、操作されるスイッチを設け、前記カバー１３の開放時にスイッチによってＬＥＤを点灯する構成としても良い。
【産業上の利用可能性】
【００５４】
本発明は、床用吸込具を基本姿勢と、倒立姿勢の二つの状態を選択可能な電気掃除機に広く利用可能である。
【符号の説明】
【００５５】
１    ホース
２    手元側接続管
３    把手部
４    取っ手部
５    延長管
６    床用吸込具
７    吸込口
８    吸込具本体
９    回動管
１０  接続管
１１  回転ブラシ
１２  モーター
１３  カバー
１４  ローラー
１５  後車輪
１６  起毛布
１７  突起
１８  スイッチ
１９  スイッチング機構
２０  ＬＥＤ
２１  突起
２２  スイッチ
２３  ＬＥＤ
【図１】
2011092485.tif 000003
【図２】
2011092485.tif 000004
【図３】
2011092485.tif 000005
【図４】
2011092485.tif 000006
【図５】
2011092485.tif 000007
【図６】
2011092485.tif 000008
【図７】
2011092485.tif 000009
【図８】
2011092485.tif 000010
【図９】
2011092485.tif 000011
【図１０】
2011092485.tif 000012